(57)【要約】【課題】小型化を図ることができるレンズ駆動装置を提供する。【解決手段】レンズ駆動装置１は、正面から視た時に、双方のレンズ群保持枠１１、１２の外周領域を光軸Ｌを含んで縦に通る仮想中心線Ｘで分けた右側の領域Ｓａに、第１ガイドポール２０、第２ガイドポール３０、第１ピエゾモーター２３のリードスクリュー２３１、第２ピエゾモーター３３のリードスクリュー３３１が集結されて配置されている。さらに、第１ガイドポール２０と第２ガイドポール３０との間の中間領域に、第１ピエゾモーター２３のリードスクリュー２３１及び第２ピエゾモーター３３のリードスクリュー３３１が配置されている。【選択図】図３
2008165046.tif 000002
【特許請求の範囲】
【請求項１】
光軸方向に直列に配置された撮像装置用の第１レンズ群保持枠及び第２レンズ群保持枠のそれぞれを第１モーター及び第２モーターを用いて第１ガイドポール及び第２ガイドポールに沿って光軸方向にスライド移動させるためのレンズ駆動装置であって、
前記第１ガイドポール及び第２ガイドポールは光軸と平行に配置され、前記第１レンズ群保持枠及び前記第２レンズ群保持枠のそれぞれを光軸方向にスライド移動可能に支持し、
前記第１モーター及び前記第２モーターは、前記第１レンズ群保持枠及び前記第２レンズ群保持枠のそれぞれを光軸方向に移動させるためのリード部材と、該リード部材に設けられたピエゾ素子とからなり、
前記第１レンズ群保持枠の外周側には第１保持部材が設けられ、該第１保持部材には前記第１モーターのリード部材が光軸と平行に配置された状態で固定され、当該第１レンズ群保持枠は、当該第１モーターが駆動して当該第１保持部材が光軸方向に移動することにより前記第１ガイドポールに沿って光軸方向にスライド移動するように構成され、
前記第２レンズ群保持枠の外周側には第２保持部材が設けられ、該第２保持部材には前記第２モーターのリード部材が光軸と平行に配置された状態で固定され、当該第２レンズ群保持枠は、前記第２モーターが駆動して当該第２保持部材が光軸方向に移動することにより前記第２ガイドポールに沿って光軸方向にスライド移動するように構成され、
前記第１レンズ群保持枠及び前記第２レンズ群保持枠を正面から視たときに、当該第１レンズ群保持枠及び当該第２レンズ群保持枠の外周領域において光軸を含んで縦に通る仮想中心線で分けられた一方の領域に、前記第１モーターのリード部材、前記第２モーターのリード部材、前記第１ガイドポール及び前記第２ガイドポールを集結させて配置したことを特徴とするレンズ駆動装置。
【請求項２】
前記第１モーター及び前記第２モーターは、第１ピエゾモーター及び第２ピエゾモーターであって、
当該第１ピエゾモーター及び当該第２ピエゾモーターは、リードスクリューと、該リードスクリューに螺合したナットと、該ナットの外周部に設けられたピエゾ素子とからなり、当該リードスクリュー及び当該ナットは前記リード部材を構成し、
前記第１保持部材及び前記第２保持部材は、第１ピエゾモーター保持部材及び第２ピエゾモーター保持部材であって、
当該第１ピエゾモーター保持部材には、前記第１ピエゾモーターのリードスクリューが光軸と平行に配置された状態で、当該第１ピエゾモーターのナットがピエゾ素子を介して固定され、
当該第２ピエゾモーター保持部材には、前記第２ピエゾモーターのリードスクリューが光軸と平行に配置された状態で、当該第２ピエゾモーターのナットがピエゾ素子を介して固定されたことを特徴とする請求項１に記載のレンズ駆動装置。
【請求項３】
前記第１レンズ群保持枠及び前記第２レンズ群保持枠を正面から視たときに、前記第１ガイドポール及び前記第２ガイドポールは、当該第１レンズ群保持枠及び当該第２レンズ群保持枠の外周側に光軸を中心にして仮想的に設定された仮想円の円周軌道上において、上下二辺が前記仮想線に直交して当該仮想円に内接された仮想直角四角形のそれぞれの対角線と交わる位置に配置され、当該第１ガイドポールと当該第２ガイドポールとの間の中間領域に、前記第１ピエゾモータのリードスクリュー及び前記第２ピエゾモータのリードスクリューを配置したことを特徴とする請求項２に記載のレンズ駆動装置。
【請求項４】
前記第１ピエゾモーターのリードスクリュー及び前記第２ピエゾモータのリードスクリューを、前記仮想円の円周軌道上に配置したことを特徴とする請求項３に記載のレンズ駆動装置。
【請求項５】
前記第１レンズ群保持枠及び前記第２レンズ群保持枠を正面から視たときに、当該第１レンズ群保持枠及び当該第２レンズ群保持枠の外周領域において前記仮想中心線で分けられた他方の領域に、当該第１レンズ群保持枠及び当該第２レンズ群保持枠の回転防止軸を光軸と平行に配置したことを特徴とする請求項１〜請求項４のいずれか１項に記載のレンズ駆動装置。
【発明の詳細な説明】
【技術分野】
【０００１】
本件発明は、撮像装置用の二つのレンズ群保持枠を、それぞれ独立して駆動するレンズ駆動装置に関する。
【背景技術】
【０００２】
従来から、デジタルカメラ等の変倍光学系には、一般的に、二つのレンズ群（第１レンズ群、第２レンズ群）が光軸方向に移動する方式が多く採用されている。この二つのレンズ群は、それぞれ、第１レンズ群保持枠と第２レンズ群保持枠で保持されている。これらのレンズ群は、光軸方向に直列に配置されている。
【０００３】
そして、第１レンズ群保持枠及び第２レンズ群保持枠を、それぞれ独立して光軸方向にスライド移動させるためにレンズ駆動装置が使用されている。このレンズ駆動装置としては、例えば、特許文献１や特許文献２に記載されたレンズ駆動装置が提案されている。このレンズ駆動装置には、二本のガイドポール（第１ガイドポール、第２ガイドポール）及び二つのピエゾモーター（第１ピエゾモーター、第２ピエゾモーター）が使用されている。
【０００４】
ここで、第１ガイドポール及び第１ピエゾモーターは、第１レンズ群保持枠を光軸方向にスライド移動させるために使用される。第１ガイドポールは、光軸と平行に配置されており、第１レンズ群保持枠を光軸方向に移動可能に支持している。
【０００５】
また、第１ピエゾモーターは、リードスクリューと、ナットと、ピエゾ素子とを備えている。リードスクリューは光軸と平行に配置されており、カム体を介して第１レンズ群保持枠に係合されている。これにより、第１レンズ群保持枠は、第１ピエゾモーターが駆動することによって、第１ガイドポールに沿って光軸方向にスライド移動するように構成されている。
【０００６】
また、第２ガイドポール及び第２ピエゾモーターは、第２レンズ群保持枠を光軸方向にスライド移動させるために使用される。第２ガイドポールは、光軸と平行に配置されており、第２レンズ群保持枠を光軸方向に移動可能に支持するように構成されている。
【０００７】
また、第２ピエゾモーターは、リードスクリューと、ナットと、ピエゾ素子とを備えている。リードスクリューは光軸と平行に配置されており、カム体を介して第２レンズ群保持枠に係合されている。これにより、第２レンズ群保持枠は、第２ピエゾモーターが駆動することによって、第２ガイドポールに沿って光軸方向にスライド移動するように構成されている。
【０００８】
しかし、特許文献１に記載されたレンズ駆動装置では、双方のレンズ群保持枠を正面から視た時に、その外周領域において、第２のガイドポールが、他の三本の部材（第１ガイドポール、第１ピエゾモーターのリードスクリュー、第２ピエゾモーターのリードスクリュー）と反対側に配置されている。したがって、このレンズ駆動装置では、四本の部材の設置にかかるスペースを外周領域全体にわたって確保しなければならない。したがって、レンズ駆動装置が大型化してしまう。
【０００９】
一方、特許文献２に記載されたレンズ駆動装置では、双方のレンズ群保持枠の外周領域において、第２のガイドポールが、他の三本の部材と離れずに配置されている。したがって、このレンズ駆動装置は、特許文献１に記載されたレンズ装置に比べて、四本の部材の設置にかかるスペースが抑えられている。
【００１０】
【特許文献１】特開２００６−９８５７６号公報
【特許文献２】特開２００５−９８５７５号公報
【発明の開示】
【発明が解決しようとする課題】
【００１１】
しかしながら、特許文献２に記載されたレンズ駆動装置は、四本の部材の設置にかかるスペースが、双方のレンズ群保持枠の外周領域のかなりの部分を占めている。したがって、このレンズ駆動装置では、昨今の撮像装置の小型化の要求には応えることができなかった。
【００１２】
本件発明は、かかる従来の課題に鑑みてなされたものであり、小型化を図ることができるレンズ駆動装置を提供することを目的とする。
【課題を解決するための手段】
【００１３】
そこで、本件発明者等は、鋭意研究の結果、前記課題を解決するために以下のようなレンズ駆動装置を採用した。
【００１４】
本件発明のレンズ駆動装置は、光軸方向に直列に配置された撮像装置用の第１レンズ群保持枠及び第２レンズ群保持枠のそれぞれを第１モーター及び第２モーターを用いて第１ガイドポール及び第２ガイドポールに沿って光軸方向にスライド移動させるためのレンズ駆動装置であって、前記第１ガイドポール及び第２ガイドポールは光軸と平行に配置され、前記第１レンズ群保持枠及び前記第２レンズ群保持枠のそれぞれを光軸方向にスライド移動可能に支持し、前記第１モーター及び前記第２モーターは、前記第１レンズ群保持枠及び前記第２レンズ群保持枠のそれぞれを光軸方向に移動させるためのリード部材と、該リード部材に設けられたピエゾ素子とからなり、前記第１レンズ群保持枠の外周側には第１保持部材が設けられ、該第１保持部材には前記第１モーターのリード部材が光軸と平行に配置された状態で固定され、当該第１レンズ群保持枠は、当該第１モーターが駆動して当該第１保持部材が光軸方向に移動することにより前記第１ガイドポールに沿って光軸方向にスライド移動するように構成され、前記第２レンズ群保持枠の外周側には第２保持部材が設けられ、該第２保持部材には前記第２モーターのリード部材が光軸と平行に配置された状態で固定され、当該第２レンズ群保持枠は、前記第２モーターが駆動して当該第２保持部材が光軸方向に移動することにより前記第２ガイドポールに沿って光軸方向にスライド移動するように構成され、前記第１レンズ群保持枠及び前記第２レンズ群保持枠を正面から視たときに、当該第１レンズ群保持枠及び当該第２レンズ群保持枠の外周領域において光軸を含んで縦に通る仮想中心線で分けられた一方の領域に、前記第１モーターのリード部材、前記第２モーターのリード部材、前記第１ガイドポール及び前記第２ガイドポールを集結させて配置したことを特徴としている。
【００１５】
かかる構成において、本件発明のレンズ駆動装置は、二組のモーターとガイドポールとを一方の領域に集結させて配置したため、ばらばらに配置する構成よりも、機能的に同じ部材をまとめやすく配置でき、従来の構成と比べコンパクトになる。
【００１６】
また、本件発明のレンズ駆動装置は、前記第１モーター及び前記第２モーターは、第１ピエゾモーター及び第２ピエゾモーターであって、当該第１ピエゾモーター及び当該第２ピエゾモーターは、リードスクリューと、該リードスクリューに螺合したナットと、該ナットの外周部に設けられたピエゾ素子とからなり、当該リードスクリュー及び当該ナットは前記リード部材を構成し、前記第１保持部材及び前記第２保持部材は、第１ピエゾモーター保持部材及び第２ピエゾモーター保持部材であって、当該第１ピエゾモーター保持部材には、前記第１ピエゾモーターのリードスクリューが光軸と平行に配置された状態で、当該第１ピエゾモーターのナットがピエゾ素子を介して固定され、当該第２ピエゾモーター保持部材には、前記第２ピエゾモーターのリードスクリューが光軸と平行に配置された状態で、当該第２ピエゾモーターのナットがピエゾ素子を介して固定されたことを特徴としている。
【００１７】
かかる構成においても、本件発明のレンズ駆動装置は、二組のピエゾモーターとガイドポールとを一方の領域に集結させて配置したため、ばらばらに配置する構成よりも、機能的に同じ部材をまとめやすく配置でき、従来の構成と比べコンパクトになる。
【００１８】
また、本件発明のレンズ駆動装置は、前記第１レンズ群保持枠及び前記第２レンズ群保持枠を正面から視たときに、前記第１ガイドポール及び前記第２ガイドポールは、当該第１レンズ群保持枠及び当該第２レンズ群保持枠の外周側に光軸を中心にして仮想的に設定された仮想円の円周軌道上において、上下二辺が前記仮想線に直交して当該仮想円に内接された仮想直角四角形のそれぞれの対角線と交わる位置に配置され、当該第１ガイドポールと当該第２ガイドポールとの間の領域に、前記第１ピエゾモータのリードスクリュー及び前記第２ピエゾモータのリードスクリューを配置したことを特徴としている。
【００１９】
かかる構成において、本件発明のレンズ駆動装置は、仮想円の円周軌道上に配置される二本のガイドポールの間の中間領域を利用して、双方のリードスクリューを配置したため、双方のリードスクリューが双方のガイドポールの間に配置されていない場合に比べて、四本の部材の設置にかかるスペースが抑えられる。
【００２０】
また、本件発明のレンズ駆動装置は、前記第１ピエゾモーターのリードスクリュー及び前記第２ピエゾモータのリードスクリューを、前記仮想円の円周軌道上に配置したことを特徴としている。
【００２１】
かかる構成において、本件発明のレンズ駆動装置は、四本の部材をまとめて双方のレンズ群保持枠の近傍に配置することが可能になるため、無駄なスペースをなくすことができる。
【００２２】
また、本件発明のレンズ駆動装置は、前記第１レンズ群保持枠及び前記第２レンズ群保持枠を正面から視たときに、当該第１レンズ群保持枠及び当該第２レンズ群保持枠の外周領域において前記仮想中心線で分けられた他方の領域に、当該第１レンズ群保持枠及び当該第２レンズ群保持枠の回転防止軸を光軸と平行に配置したことを特徴としている。
【００２３】
かかる構成において、本件発明のレンズ駆動装置は、双方のレンズ群保持枠を、回転を防止しながら駆動するため、双方のレンズ群保持枠をスムーズに移動させることが可能になる。
【発明の効果】
【００２４】
本件発明のレンズ駆動装置では、二組のモーターとガイドポールとを一方の領域に集結させて配置したため、ばらばらに配置する構成よりも、機能的に同じ部材をまとめやすく配置でき、従来の構成と比べコンパクトになる。よって、本件発明のレンズ駆動装置は、小型化を図ることができる。
【００２５】
また、本件発明のレンズ駆動装置では、モーターにピエゾモーターを使用した。この場合であっても、本件発明のレンズ駆動装置は、従来の構成と比べコンパクトになる。よって、本件発明のレンズ駆動装置は、小型化を図ることができる。
【００２６】
さらに、本件発明のレンズ駆動装置では、二本のガイドポールを、仮想円の円周軌道上において、この仮想円に内接する仮想直角四角形の対角線と交わる位置に配置し、この二本のガイドポールの間の中間領域を利用して、双方のリードスクリューを配置した。このため、双方のリードスクリューが双方のガイドポールの間に配置されていない場合に比べて、四本の部材の設置にかかるスペースが抑えられる。よって、本件発明のレンズ駆動装置は、より一層の小型化を図ることができる。
【００２７】
さらに、本件発明のレンズ駆動装置では、仮想円の円周軌道上に、双方のリードスクリューを配置した。これにより、本件発明のレンズ駆動装置は、四本の部材をまとめて双方のレンズ群保持枠の近傍に配置することが可能になるため、無駄なスペースをなくすことができる。よって、本件発明のレンズ駆動装置は、より一層の小型化を図ることができる。
【００２８】
また、本件発明のレンズ駆動装置では、双方のレンズ群保持枠の外周領域の他方の領域に、双方のレンズ群保持枠の回転防止軸を配置した。これにより、本件発明のレンズ駆動装置は、双方のレンズ群保持枠を、回転を防止しながら駆動するため、双方のレンズ群保持枠をスムーズに移動させることが可能になる。よって、本件発明のレンズ駆動装置は、レンズ群保持枠の駆動性能を高めることができる。
【発明を実施するための最良の形態】
【００２９】
以下、本発明の実施の形態を図にしたがって説明する。
【００３０】
第１の実施の形態：
図１は、本件発明の第１の実施の形態を示す携帯電話１０１の外観図である。この携帯電話１０１は、カメラ機能を備えた携帯電話であり、カメラモジュール１０２を備えている。このカメラモジュール１０２は、箱形に形成されたケース１１０と、このケース１１０内に配設されたレンズユニットと、撮像素子（ＣＣＤ）とを備えている。そして、このカメラモジュール１０２は、ユーザーの操作に応じて、被写体の反射光を撮像素子により結像させて電気信号に変換し、この電気信号をＡ／Ｄコンバーターなどに出力するように構成されている。
【００３１】
図２は、レンズユニット１０の斜視図である。このレンズユニット１０は、第１レンズ群保持枠１１と、第２レンズ群保持枠１２と、レンズ駆動装置１とを備えている。
【００３２】
第１レンズ群保持枠１１及び第２レンズ群保持枠１２は、光軸Ｌに沿って直列に配置されている。そして、第１レンズ群保持枠１１は、前方側（被写体側）に配置されている。この第１レンズ群保持枠１１は、内側に第１レンズ群（図示せず）が保持されるように構成されている。
【００３３】
また、第１レンズ群保持枠１１の外周部１１１には、第１ガイド部材１３が結合されている。この第１ガイド部材１３は、筒型に形成されており、光軸Ｌと平行に配置されている。そして、この第１ガイド部材１３の配置位置は、図３に示すように、正面（被写体側）から視た時に、外周部１１１を光軸Ｌを縦横に通る仮想中心線Ｘ、Ｙで四分割した内の右側下部１１１ａの中間部に設定されている。
【００３４】
さらに、具体的に説明すると、第１ガイド部材１３は、第１仮想円Ｂ１の円周軌道Ｂ１ａ上において、仮想直角四角形Ｃの一方の対角線Ｃ１と交わる位置に配置されている。ここで、第１仮想円Ｂ１とは、双方のレンズ群保持枠１１、１２の外周側に光軸Ｌを中心にして仮想的に設定された円である。また、仮想直角四角形Ｃは、上下二辺が仮想線Ｘに直交して第１仮想円Ｂ１に内接した直角四角形である。なお、この仮想直角四角形Ｃの形状は正方形または長方形となる。本実施の形態の仮想直角四角形Ｃの形状は、ほぼ正方形である。
【００３５】
また、図２に示すように、第１レンズ群保持枠１１には、第１回転防止軸用支持部１１２が設けられている。この第１回転防止軸用支持部１１２は、被写体側（または結像側）から視てＵ字状に形成されている。そして、この第１回転防止軸用支持部１１２の配置位置は、図３に示すように、外周部１１１を仮想中心線Ｘ、Ｙで四分割した内の左側上部１１１ｂの中間部に設定されている。
【００３６】
一方、図２に示すように、第２レンズ群保持枠１２は、後方側（結像側）に配置されている。この第２レンズ群保持枠１２は、内側に第２レンズ群（図示せず）が保持されるように構成されている。
【００３７】
また、第２レンズ群保持枠１２の後方側（結像側）には、支持部材１４が結合されている。この支持部材１４は、第２レンズ群保持枠１２が第１レンズ群保持枠１１と共に直列に配置されるように、第２レンズ群保持枠１２を支持する部材である。
【００３８】
また、支持部材１４には、第２ガイド部材１５が結合されている。この第２ガイド部材１５は、筒型に形成されており、光軸Ｌと平行に配置されている。そして、この第２ガイド部材１５の配置位置は、図３に示すように正面から視た時に、第２ガイド部材１５が、第１レンズ群保持枠１１の右側部分１１ａを挟んで、第１ガイド部材１３と上下に対向するように設定されている。
【００３９】
さらに具体的に説明すると、第２ガイド部材１５の配置位置は、第１レンズ群保持枠１１の外周部１１１を仮想中心線Ｘ、Ｙで四分割した内の右側上部１１１ｃの中間部に近接するように設定されている。また言い換えれば、第２ガイド部材１５は、第１仮想円Ｂ１の円周軌道Ｂ１ａ上において、仮想直角四角形Ｃの他方の対角線Ｃ２と交わる位置に位置するように構成されている。
【００４０】
また、図２に示すように、支持部材１４には、第２回転防止軸用支持部１４２が設けられている。この第２回転防止軸用支持部１４２は、被写体側（または結像側）から視てＵ字状に形成されている。そして、この第２回転防止軸用支持部１４２の配置位置は、第１回転防止軸用支持部１１２と光軸方向Ａで対向するように設定されている。
【００４１】
そして、レンズ駆動装置１は、第１レンズ群保持枠１１と第２レンズ群保持枠１２とを、それぞれ独立的に駆動するものである。このレンズ駆動装置１は、第１レンズ群保持枠駆動装置２と、第２レンズ群保持枠駆動装置３と、回転防止軸４と、第１レンズ群保持枠移動距離測定装置５、第２レンズ群保持枠移動距離測定装置６とを備えている。
【００４２】
回転防止軸４は、双方のレンズ群保持枠１１、１２が光軸方向Ａにスライド移動する際に、双方のレンズ群保持枠１１、１２の回転を防止する部材である。この回転防止軸４は、双方のレンズ群保持枠１１、１２の回転防止軸用支持部１１２、１４２に支持されている。
【００４３】
また、第１レンズ群保持枠移動距離測定装置５は、第１レンズ群保持枠１１の移動距離を測定する装置である。また、第２レンズ群保持枠移動距離測定装置６は、第２レンズ群保持枠１２の移動距離を測定する装置である。
【００４４】
そして、第１レンズ群保持枠駆動装置２は、第１レンズ群保持枠１１を駆動する装置である。この第１レンズ群保持枠駆動装置２は、第１ガイドポール２０と、第１駆動手段２１と、第１フレキシブルプリント配線板２２とを備えている。
【００４５】
第１ガイドポール２０は、第１レンズ群保持枠１１を光軸方向Ａに移動可能に支持する部材である。この第１ガイドポール２０は、細長い丸棒状に形成されている。そして、この第１ガイドポール２０は、第１ガイド部材１３に挿通して、光軸Ｌと平行に配置されている。また、この第１ガイドポール２０には、第１ガイド部材１３よりも被写体側に、スプリング２０ａが挿通されている。このスプリング２０ａは、第１レンズ群保持枠１１を、常に結像側に付勢するように構成されている。
【００４６】
一方、第１駆動手段２１は、第１ピエゾモーター２３と、第１ピエゾモーター保持部材２４とを備えている。第１ピエゾモーター２３は、リードスクリュー２３１と、ナット２３２と、四枚のピエゾ素子２３３とを備えている。
【００４７】
リードスクリュー２３１は、光軸Ｌと平行に配置されている。また、ナット２３２は、リードスクリュー２３１に螺合されている。また、四枚のピエゾ素子２３３は、ナット２３２の外周部に設けられている。
【００４８】
また、第１ピエゾモーター保持部材２４は、第１ピエゾモーター２３から出力される駆動力を利用して、第１レンズ群保持枠１１を移動させる部材である。この第１ピエゾモーター保持部材２４は、図３に示すように、第１レンズ群保持枠１１の外周部１１１において、右側下部１１１ａの上部（第１ガイド部材１３の上側）に結合されている。
【００４９】
そして、この第１ピエゾモーター保持部材２４は、光軸方向Ａに長く形成されている。さらに、この第１ピエゾモーター保持部材２４は、被写体側（または結像側）から視て略凹字状に形成されている。そして、第１ピエゾモーター保持部材２４の内部には、第１ピエゾモーター２３が収容されている。具体的には、第１ピエゾモーター保持部材２４の内壁面２４ａに、第１ピエゾモーター２３の各ピエゾ素子２３３を介してナット２３２が固定されている。
【００５０】
また、第１ピエゾモーター保持部材２４は、図３に示すように、第１レンズ群保持枠１１に結合した状態で正面から視たときに、第１ピエゾモーター２３のリードスクリュー２３１が、第２仮想円Ｂ２の円周軌道Ｂ２ａ上に位置するように構成されている。ここで、第２仮想円Ｂ２とは、双方のレンズ群保持枠１１、１２の外周側に光軸Ｌを中心にして、第１仮想円Ｂ１よりも外側に仮想的に設定された円である。
【００５１】
また、図２に示すように、第１フレキシブルプリント配線板２２は、第１ピエゾモーター２３に駆動電源及び制御信号を供給するものである。この第１フレキシブルプリント配線板２２は、一方側の端子部が第１ピエゾモーター２３に接続して、他端側が電源及び制御部（図示せず）に接続している。
【００５２】
次に、第１レンズ群保持枠駆動装置２による第１レンズ群保持枠１１の駆動方法を説明する。まず、電源及び制御部から、第１フレキシブルプリント配線板２２を介して、各ピエゾ素子２３３に駆動電源及び制御信号が供給される。これにより、各ピエゾ素子２３３が振動して、リードスクリュー２３１が正逆方向に回転する。このリードスクリュー２３１の回転によって、ナット２３２はリードスクリュー２３１上を移動する。これに伴って第１ピエゾモーター保持部材２４が光軸方向Ａに移動するとともに、第１レンズ群保持枠１１が、第１ガイドポール２０に沿って光軸方向Ａにスライド移動する。
【００５３】
一方、第２レンズ群保持枠駆動装置３は、第２レンズ群保持枠１２を駆動する装置である。この第２レンズ群保持枠駆動装置３は、第２ガイドポール３０と、第２駆動手段３１と、第２フレキシブルプリント配線板３２とを備えている。
【００５４】
第２ガイドポール３０は、第２レンズ群保持枠１２を光軸方向Ａに移動可能に支持する部材である。この第２ガイドポール３０は、細長い丸棒状に形成されている。そして、この第２ガイドポール３０は、第２ガイド部材１５に挿通して、光軸Ｌと平行に配置されている。また、この第２ガイドポール３０には、第２ガイド部材１３よりも結像側に、スプリング３０ａが挿通されている。このスプリング３０ａは、第２レンズ群保持枠１２を、
常に被写体側に付勢するように構成されている。
【００５５】
一方、第２駆動手段３１は、第２ピエゾモーター３３と、第２ピエゾモーター保持部材３４とを備えている。第２ピエゾモーター３３は、リードスクリュー３３１と、ナット３３２と、四枚のピエゾ素子３３３とを備えている。
【００５６】
リードスクリュー３３１は、光軸Ｌと平行に配置されている。また、ナット３３２は、リードスクリュー３３１に螺合されている。また、四枚のピエゾ素子３３３は、ナット３３２の外周部に設けられている。
【００５７】
また、第２ピエゾモーター保持部材３４は、第２ピエゾモーター３３から出力される駆動力を利用して第２レンズ群保持枠１２を移動させる部材である。この第２ピエゾモーター保持部材３４は、図３に示すように、第２ガイド部材１５の下側に結合されている。
【００５８】
また、図２に示すように、この第２ピエゾモーター保持部材３４は、光軸方向Ａに長く形成されている。さらに、この第２ピエゾモーター保持部材３４は、被写体側（または結像側）から視て逆略凹字状に形成されている。そして、第２ピエゾモーター保持部材３４の内部には、第２ピエゾモーター３３が収容されて固定されている。具体的には、第２ピエゾモーター保持部材３４の内壁面３４ａに、第２ピエゾモーター３３の各ピエゾ素子３３３を介してナット３３２が固定されている。
【００５９】
また、第２ピエゾモーター保持部材３４は、図３に示すように、第２ガイド部材１５の下側に結合した状態で正面から視たときに、第２ピエゾモーター３３のリードスクリュー３３１が、第２仮想円Ｂ２の円周軌道Ｂ２ａ上において、第１ピエゾモーター２３のリードスクリュー２３１の上側に位置するように構成されている。
【００６０】
また、第２フレキシブルプリント配線板３２は、第２ピエゾモーター３３に制御信号及び駆動電源を供給するものである。この第２フレキシブルプリント配線板３２は、一方側の端子部が第２ピエゾモーター３３に接続して、他端側が電源及び制御部（図示せず）に接続している。
【００６１】
次に、第２レンズ群保持枠駆動装置３による第２レンズ群保持枠１２の駆動方法を説明する。まず、電源及び制御部から、第２フレキシブルプリント配線板３２を介して、各ピエゾ素子３３３に駆動電源及び制御信号が供給される。これにより、各ピエゾ素子３３３が振動して、リードスクリュー３３１が正逆方向に回転する。このリードスクリュー３３１の回転により、ナット３３２がリードスクリュー３３１上を移動する。これに伴って第２ピエゾモーター保持部材３４が光軸方向Ａに移動するとともに、第２レンズ群保持枠１２が、第２ガイドポール３０に沿って光軸方向Ａにスライド移動する。
【００６２】
かかる構成において、本実施の形態のレンズ駆動装置１では、図３に示すように正面から視た時に、双方のレンズ群保持枠１１、１２の外周領域を仮想中心線Ｘで分けた右側の領域Ｓａに四本の部材２０、３０、２３１、３３１が配置されている。具体的には、四本の部材２０、３０、２３１、３３１は、双方のレンズ群保持枠１１、１２の移動軌道Ｔ（図１参照）の右側部分の近傍に、上から第２ガイドポール３０、第２リードスクリュー３３１、第１リードスクリュー２３１、第１ガイドポール２０の順に集結させて配置されている。
【００６３】
なお、双方のレンズ群保持枠１１、１２の外周領域とは、レンズ群保持枠１１、１２の移動軌道Ｔの外周側にある領域である。また、移動軌道Ｔは、第１レンズ群保持枠１１及び第２レンズ群保持枠１２が光軸Ｌに沿って移動する円筒状の軌道である。
【００６４】
そして、本実施の形態のレンズ駆動装置１は、四本の部材２０、３０、２３１、３３１を右側の領域Ｓａに集結させて配置したことにより、ばらばらに配置する構成よりも、機能的に同じ部材をまとめやすく配置でき、従来の構成と比べコンパクトになる。すなわち、本実施の形態のレンズ駆動装置１は、従来のレンズ駆動装置に比べて、四本の部材２０、３０、２３１、３３１の設置スペースが抑えられる。よって、本実施の形態のレンズ駆動装置１は、小型化を図ることができる。
【００６５】
また、本実施の形態のレンズ駆動装置１では、二本のガイドポール２０、３０を、第１仮想円Ｂ１の円周軌道Ｂ１ａ上において、仮想直角四角形Ｃの対角線Ｃ１、Ｃ２と交わる位置に配置し、双方のガイドポール２０、３０の間の中間領域（空間）に、双方のリードスクリュー２３１、３３１を配置した。このため、本実施の形態のレンズ駆動装置１では、双方のリードスクリュー２３１、３３１が双方のガイドポール２０、３０の間に配置されていない場合に比べて、四本の部材２０、３０、２３１、３３１の設置にかかるスペースが抑えられる。よって、本実施の形態のレンズ駆動装置１は、より一層の小型化を図ることができる。
【００６６】
さらに、本実施の形態のレンズ駆動装置１では、前記中間領域において、第１ピエゾモーター２３のリードスクリュー２３１を第１ガイドポール２０側に配置して、第２ピエゾモーター３３のリードスクリュー３３１を第２ガイドポール３０側に配置した。
【００６７】
これにより、本実施の形態のレンズ駆動装置１は、各ピエゾモーター保持部材２４、３４が、対応するガイドポール２０、３０側に配置される。このため、本実施の形態のレンズ駆動装置１は、各ピエゾモーター保持部材２４、３４が、対応するガイドポール２０、３０と反対側に配置されている場合に比べて、各ピエゾモーター保持部材２４、３４の駆動力を、対応するガイドポール２０、３０に容易に伝えることが可能になる。したがって、本実施の形態のレンズ駆動装置１は、双方のレンズ群保持枠１１、１２を短時間で所定の位置に移動させることができる。よって、本実施の形態のレンズ駆動装置１は、双方のレンズ群保持枠１１、１２の駆動性能を高めることができる。
【００６８】
さらに、本実施の形態のレンズ駆動装置１では、図３に示すように、双方のレンズ群保持枠１１、１２を正面から視たときに、第２仮想円Ｂ２の円周軌道Ｂ２ａ上に、双方のリードスクリュー２３１、３３１を配置した。これにより、本実施の形態のレンズ駆動装置１は、双方のリードスクリュー２３１、３３１をまとめて双方のレンズ群保持枠１１、１２の近傍に配置することが可能になる。このため、無駄なスペースがなくなる。よって、本実施の形態のレンズ駆動装置１は、より一層の小型化を図ることができる。
【００６９】
また、本実施の形態のレンズ駆動装置１では、図３に示すように、双方のレンズ群保持枠１１、１２を正面から視たときに、双方のレンズ群保持枠１１、１２の外周領域を仮想中心線Ｘで分けられた左側の領域Ｓｂに回転防止軸４を配置した。これにより、本実施の形態のレンズ駆動装置１は、双方のレンズ群保持枠１１、１２を、その回転を防止しながら駆動する。したがって、本実施の形態のレンズ駆動装置１は、双方のレンズ群保持枠１１、１２をスムーズに移動させることが可能になる。よって、本実施の形態のレンズ駆動装置１は、レンズ群保持枠１１、１２の駆動性能を高めることができる。
【００７０】
また、本実施の形態のレンズ駆動装置１によって、カメラモジュール１０２（図１参照）は、小型化を図ることができる。さらに、本実施の形態の携帯電話１０１は、このカメラモジュール１０２を備えたことによって、従来のカメラモジュール（レンズ駆動装置）を備えた携帯電話に比べて、小型化（薄型化）を図ることができる。
【００７１】
第２の実施の形態：
図４は、本件発明の第２の実施の形態を示すレンズユニット５００の正面図である。なお、本実施の形態において、第１の実施の形態のレンズユニット１０と同様の部分には同じ符号を付し、異なる部分を中心にして説明する。
【００７２】
本実施の形態のレンズユニット５００は、第１の実施の形態で説明したレンズユニット１０と同様に、携帯電話のカメラモジュールに備えられるものである。このレンズユニット５００は、第１レンズ群保持枠１１と、第２レンズ群保持枠１２と、レンズ駆動装置６０１とを中心にして構成されている。
【００７３】
さらに、このレンズ駆動装置６０１は、第１レンズ群保持枠駆動装置６０２と、第２レンズ群保持枠駆動装置６０３と、回転防止軸４とを備えている。双方のレンズ群保持枠駆動装置６０２、６０３の基本的な構成は、第１の実施の形態のレンズ群保持枠駆動装置２、３と同じである。
【００７４】
本実施の形態のレンズ駆動装置６０１では、双方のレンズ群保持枠１１、１２を正面から視たときに、第１仮想円Ｂ１の円周軌道Ｂ１ａ上に、双方のガイドポール２０、３０、双方のリードスクリュー２３１、３３１が配置されるように、第１ピエゾモーター保持部材６２４及び第２ピエゾモーター保持部材６３４を構成した。なお、図４においては、第１ピエゾモーター２３のナット及びピエゾ素子、第２ピエゾモーター３３のナット及びピエゾ素子を省略している。
【００７５】
したがって、本実施の形態のレンズ駆動装置６０１では、四本の部材２０、３０、２３１、３３１の全てが第１仮想円Ｂ１の円周軌道Ｂ１ａ上に配置されている。これにより、本実施の形態のレンズ駆動装置６０１は、四本の部材２０、３０、２３１、３３１をまとめて双方のレンズ群保持枠１１、１２の近傍に配置することが可能になる。このため、無駄なスペースがなくなる。よって、本実施の形態のレンズ駆動装置６０１は、第１の実施の形態のレンズ駆動装置１に比べて、より一層の小型化を図ることができる。また、本実施の形態のレンズ駆動装置６０１では、第１の実施の形態のレンズ駆動装置１が有する効果も併せて得ることができる。
【００７６】
なお、第１の実施の形態のレンズ駆動装置１及び第２の実施の形態のレンズ駆動装置６０１では、双方のレンズ群保持枠１１、１２の外周領域において仮想中心線Ｘよりも右側の領域Ｓａに配置したが、仮想中心線Ｘよりも左側の領域Ｓｂに配置しても良い。また、これに伴い、回転防止軸４は、右側の領域Ｓａに配置しても良い。
【００７７】
なお、第１の実施の形態及び第２の実施の形態では、携帯電話に本件発明のレンズ駆動装置を使用した場合について説明したが、デジタルカメラ等の他の撮像装置に本件発明のレンズ駆動装置を使用しても良い。特に、本件発明のレンズ駆動装置は、レンズ駆動装置の設置スペースが制限されるような撮像装置に対する使用に適している。
【産業上の利用可能性】
【００７８】
以上説明したように、本件発明のレンズ駆動装置は、小型化を図ることができる。したがって、本件発明は、レンズ駆動装置の技術分野において十分に利用することができる。
【図面の簡単な説明】
【００７９】
【図１】本件発明の第１の実施の形態を示すレンズユニットの斜視図である。
【図２】同実施の形態を示すレンズユニットの斜視図である。
【図３】同実施の形態を示すレンズユニットの正面図である。
【図４】本件発明の第２の実施の形態を示すレンズユニットの正面図である。
【符号の説明】
【００８０】
１    レンズ駆動装置
４    回転防止軸
１１    第１レンズ群保持枠
１２    第２レンズ群保持枠
２０    第１ガイドポール
２３    第１ピエゾモーター
２４    第１ピエゾモーター保持部材
３０    第２ガイドポール
３３    第２ピエゾモーター
３４    第２ピエゾモーター保持部材
２３１    リードスクリュー
２３２    ナット
２３３    ピエゾ素子
３３１    リードスクリュー
３３２    ナット
３３３    ピエゾ素子
６０１    レンズ駆動装置
６２４    第１ピエゾモーター保持部材
６３４    第２ピエゾモーター保持部材
Ａ    光軸方向
Ｂ１    第１仮想円
Ｂ１ａ    円周軌道
Ｃ    仮想直角四角形
Ｃ１    対角線
Ｃ２    対角線
Ｌ      光軸
Ｓａ    外周領域の右側の領域
Ｘ    仮想中心線
【図１】
2008165046.tif 000003
【図２】
2008165046.tif 000004
【図３】
2008165046.tif 000005
【図４】
2008165046.tif 000006